(57)【要約】【課題】設計者の意図した画面デザインを崩すことなく、誤操作を防止することで、タッチパネルの操作利便性を向上させる。【解決手段】携帯端末装置は、表示部２００と、該表示部２００上に配設され、タッチ操作を検出するタッチパネル部２０１と、該タッチパネル部２０１へのタッチ操作が検出されると、タッチ操作が行われたタッチ操作領域におけるタッチ反応領域サイズを拡大するタッチ反応制御部２０３とを備えている。【選択図】図７
2013182463.tif 000002
【特許請求の範囲】
【請求項１】
表示部と、
前記表示部上に配設され、タッチ操作を検出するタッチパネル部と、
前記タッチパネル部への特定のタッチ操作が検出されると、前記特定のタッチ操作が行われたタッチ操作領域におけるタッチ反応領域サイズを拡大するタッチ反応制御部と
を備えることを特徴とする携帯端末装置。
【請求項２】
少なくとも、現時点のタッチ反応領域サイズと、暫定タッチ反応領域サイズとからなるタッチ反応管理テーブルを記憶する記憶部を更に備え、
前記タッチパネル部は、
前記記憶部に記憶されている前記タッチ反応管理テーブルを参照し、前記タッチ操作領域におけるタッチ反応領域サイズを、前記現時点のタッチ反応領域サイズとし、
前記タッチ反応制御部は、
前記タッチパネル部への特定のタッチ操作が検出されると、前記記憶部に記憶されている前記タッチ反応管理テーブルを参照し、前記現時点のタッチ反応領域サイズを、前記暫定タッチ反応領域サイズに変更する
ことを特徴とする請求項１に記載の携帯端末装置。
【請求項３】
前記タッチ反応制御部は、
前記タッチ操作領域におけるタッチ反応領域サイズを一時的に変更する
ことを特徴とする請求項１または２に記載の携帯端末装置。
【請求項４】
前記タッチ反応制御部は、
前記特定のタッチ操作として、前記タッチパネル部へのタッチ回数がＮ回以上で、かつ一定時間内に前画面に戻る操作が行われた場合に、前記タッチ操作領域におけるタッチ反応領域サイズを拡大する
ことを特徴とする請求項１から３のいずれかに記載の携帯端末装置。
【請求項５】
前記タッチ反応制御部は、
前記タッチ反応領域サイズの変更に代えて、前記タッチ操作領域におけるタッチ反応感度を高感度にする
ことを特徴とする請求項１から４のいずれかに記載の携帯端末装置。
【請求項６】
前記タッチ反応制御部は、
前記タッチパネル部への特定のタッチ操作が検出されると、前記記憶部に記憶されている前記タッチ反応管理テーブルを参照し、前記現時点のタッチ反応領域のサイズと、前記暫定タッチ反応領域のサイズとを比較し、双方のサイズが同じである場合、前記タッチ反応領域サイズの変更に代えて、前記タッチ操作領域におけるタッチ反応感度を高感度にする
ことを特徴とする請求項５に記載の携帯端末装置。
【請求項７】
表示部上に配設されたタッチパネル部に対して特定のタッチ操作を検出するステップと、
前記タッチパネル部に対して前記特定のタッチ操作が検出されると、前記特定のタッチ操作が行われたタッチ操作領域におけるタッチ反応領域のサイズを拡大するステップと
を含むことを特徴とするタッチ操作制御方法。
【請求項８】
携帯端末装置のコンピュータに、
表示部上に配設されたタッチパネル部に対して特定のタッチ操作を検出するタッチ操作検出機能、
前記タッチパネル部に対して前記特定のタッチ操作が検出されると、前記特定のタッチ操作が行われたタッチ操作領域におけるタッチ反応領域のサイズを拡大するタッチ反応制御機能
を実行させることを特徴とするプログラム。
【発明の詳細な説明】
【技術分野】
【０００１】
本発明は、携帯端末装置、タッチ操作制御方法、及びプログラムに関する。
【背景技術】
【０００２】
タッチパネルを備える携帯端末装置では、ユーザがタッチパネル上に表示されている表示アイコンなどをタッチ（タップｏｒダブルタップ）してプログラムを起動したり、対応する機能を起動したりする。しかしながら、タッチパネル操作感度が悪く、タッチ反応するアイコンの大きさが小さいなどで認識等しないこと多々ある。そのため、タッチパネルの操作感度を向上させる技術が提案されている。
【０００３】
例えば、特許文献１には、相異なる複数のアイコンサイズを記憶させ、ユーザがタッチパネルを触れた領域を検出し、上記アイコンサイズの情報を比較することにより、上記タッチパネルに表示される上記アイコンのアイコンサイズを複数の中から選択可能にする技術が提案されている。
【０００４】
また、特許文献２には、ユーザがタッチパネルを触れた領域を検出し、タッチした位置に応じてアイコンを拡大する技術が提案されている。
【０００５】
また、特許文献３には、複数のアイコンが表示されている場合に、タッチ操作部をタッチした際に、タッチした位置関係に基づいて最も近い位置にあるアイコンを選択候補として特定する技術が提案されている。
【０００６】
また、特許文献４には、複数のソフトウエアキーが表示されている場合に、あるキーがタッチされると、入力できるキーに隣接するキーに対応した反応領域のうち、入力できないキーに対応した反応領域の方向へ、入力できるキーに対応する反応領域を、所定の反応領域以上に拡大する技術が提案されている。
【０００７】
また、特許文献５には、タッチパネル上へのタッチ操作を検出すると、タッチ操作された反応領域への進入方向へ該反応領域を移動または拡大する技術が提案されている。
【０００８】
また、特許文献６では、アイコンが選択される頻度に応じて当該アイコンを認識する領域を自動的に変更し、高い頻度で操作されるアイコンほど大きな認識領域を持たせる技術が提案されている。
【先行技術文献】
【特許文献】
【０００９】
【特許文献１】特開２００８−２１７７０４号公報
【特許文献２】特開２０１０−０４９６５４号公報
【特許文献３】特開２０１０−２７１９８２号公報
【特許文献４】特開２００７−２９９１９８号公報
【特許文献５】特開２０１１−１３４１２０号公報
【特許文献６】特開平０９−０５４６５７号公報
【発明の概要】
【発明が解決しようとする課題】
【００１０】
しかしながら、特許文献１では、使用状況や、箇所によらず一律にアイコンサイズを決定しているので、使用状況によっては使い勝手が悪くなり、また、アイコンサイズを変更するため、アプリケーション設計者の意図したデザインを崩すという問題がある。
【００１１】
また、特許文献２では、アイコンを拡大するため、アプリケーション設計者の意図したデザインを崩すこととなる。
【００１２】
また、特許文献３では、あくまで距離により操作するアイコンを特定するので、ユーザが、タッチパネルの感度が悪く、何度もタッチ操作した（例：３回押下し、２回目でタッチ反応し、その次の画面で３回目のタッチ操作に反応する）場合、誤操作につながるという問題がある。
【００１３】
また、特許文献４〜６では、１回のタッチ操作で、該タッチ操作があったキーや操作領域における反応領域を拡大するようになっているため、タッチパネルの感度が悪く、何度もタッチ操作した場合、誤操作につながるという問題がある。
【００１４】
そこで本発明は、設計者の意図した画面デザインを崩すことなく、誤操作を防止し、タッチパネルの操作利便性を向上させることができる携帯端末装置、タッチ操作制御方法、及びプログラムを提供することを目的とする。
【課題を解決するための手段】
【００１５】
本発明の携帯端末装置は、表示部と、前記表示部上に配設され、タッチ操作を検出するタッチパネル部と、前記タッチパネル部への特定のタッチ操作が検出されると、前記特定のタッチ操作が行われたタッチ操作領域におけるタッチ反応領域サイズを拡大するタッチ反応制御部とを備えることを特徴とする携帯端末装置である。
【００１６】
本発明のタッチ操作制御方法は、表示部上に配設されたタッチパネル部に対して特定のタッチ操作を検出するステップと、前記タッチパネル部に対して前記特定のタッチ操作が検出されると、前記特定のタッチ操作が行われたタッチ操作領域におけるタッチ反応領域のサイズを拡大するステップとを含むことを特徴とするタッチ操作制御方法である。
【００１７】
本発明のプログラムは、携帯端末装置のコンピュータに、表示部上に配設されたタッチパネル部に対して特定のタッチ操作を検出するタッチ操作検出機能、前記タッチパネル部に対して前記特定のタッチ操作が検出されると、前記特定のタッチ操作が行われたタッチ操作領域におけるタッチ反応領域のサイズを拡大するタッチ反応制御機能を実行させることを特徴とするプログラムである。
【発明の効果】
【００１８】
この発明によれば、設計者の意図した画面デザインを崩すことなく、誤操作を防止し、タッチパネルの操作利便性を向上させることができる。
【図面の簡単な説明】
【００１９】
【図１】本発明の第１実施形態による携帯端末装置１００の構成を示すブロック図である。
【図２】本第１実施形態による、タッチ反応管理テーブル１０２ａのデータ構成を示す概念図である。
【図３】本第１実施形態による携帯端末装置１００の動作を説明するためのフローチャートである。
【図４】本第１実施形態による携帯端末装置１００の動作を説明するための概念図である。
【図５】本第１実施形態による携帯端末装置１００の動作を説明するための概念図である。
【図６】本第２実施形態による携帯端末装置１００の動作を説明するためのフローチャートである。
【図７】付記１の構成を示すブロック図である。
【発明を実施するための形態】
【００２０】
以下、本発明の実施の形態を、図面を参照して説明する。
【００２１】
Ａ．第１実施形態
まず、本発明の第１実施形態について説明する。
図１は、本発明の第１実施形態による携帯電話等の携帯端末装置１００の構成を示すブロック図である。図１において、携帯端末装置１００は、制御部１０１、メモリ１０２、表示部１０３、タッチパネル部１０４、音源部１０５、スピーカ部１０６、マイク部１０７、カメラ部１０８、センサ部１０９、非接触ＩＣ部１１０、及び無線部１１１を備えている。
【００２２】
制御部１０１は、各種動作制御（命令）を行う。タッチパネル部１０４は、指などによる接触（タッチ）を検知する。このとき、制御部１０１は、どのような接触操作であるかを判別する。表示部１０４は、液晶ディスプレイのように各種情報、表示アイコンなどを表示する。音源部１０５は、着信音、動画などの再生音を出力する。スピーカ部１０６は、受話時、着信音を鳴動する。マイク部１０７は、通話時の音声を入力する。
【００２３】
メモリ１０２は、制御部１０１が実行するプログラムや、各種データを記憶する。特に、本第１実施形態では、メモリ１０２には、タッチ反応管理テーブル１０２ａが記憶されている。タッチ反応管理テーブル１０２ａは、表示部１０４に表示されるアイコン毎に、そのアイコンが指などによってタッチされた際に、反応すべき領域を示すタッチ反応領域のサイズを記憶している。制御部１０１は、表示部１０４に表示されているアイコンが指などによってタッチされると、所定の条件に基づいて、そのアイコンに設定されたタッチ反応領域を自動変更するよう（拡大するよう）、タッチ操作管理テーブル１０２ａの更新を指示する。
【００２４】
カメラ部１０８は、静止画、動画を撮影する。センサ部１０９は、現在の位置情報を取得するＧＰＳ（Global Positioning System）、当該携帯端末装置１００の姿勢や動きを検知する加速度センサなどからなる。非接触ＩＣ部１１０は、非接触により料金やポイントをリーダとの間で送受信する非接触ＩＣカード機能からなる。無線部１１１は、無線信号用アンテナを含み、音声通話やデータ通信における無線通信信号処理を行う。
【００２５】
図２（ａ）、（ｂ）は、本第１実施形態による、タッチ反応管理テーブル１０２ａのデータ構成を示す概念図である。図２（ａ）には、あるアプリケーション上のアイコンのタッチ反応領域などの情報を格納したタッチ反応管理テーブル１０２ａの一例を示している。図２（ａ）に示すように、タッチ反応管理テーブル１０２ａは、「アイコンＩＤ」、「アイコンサイズ」、「タッチ反応領域（デフォルト）」、現時点の「タッチ反応領域」、「暫定タッチ反応領域」から構成されている。
【００２６】
それぞれの値は、該当アプリケーションのレイアウト情報などから取得されて格納されている。「アイコンＩＤ」は、画面上のアイコンを識別するための識別情報である。「アイコンサイズ」は、該当アイコンのサイズである。「タッチ反応領域（デフォルト）」は、該当アイコンに対するタッチ反応領域のサイズであり、通常、「アイコンサイズ」と同じである。「タッチ反応領域」は、現時点の該当アイコンに対するタッチ反応領域のサイズであり、通常、「タッチ反応領域（デフォルト）」、すなわち「アイコンサイズ」と同じである。
【００２７】
「暫定タッチ反応領域」は、ユーザがアイコンに対して所定の操作を行った場合に、「タッチ反応領域」を更新するための値である。すなわち、本第１実施形態では、ユーザがアイコンに対して所定の操作を行った場合に、「タッチ反応領域」の値を「暫定タッチ反応領域」の値に更新するようになっている。
【００２８】
図２（ｂ）には、「タッチ反応領域」の値が「暫定タッチ反応領域」の値で更新された状態のタッチ反応管理テーブル１０２ａの一例を示している。図２（ｂ）に示すタッチ反応管理テーブル１０２ａでは、アイコンＩＤ「０００３」にアイコンに対する「タッチ反応領域」の値が「暫定タッチ反応領域」の値（Ｘ２×Ｙ２）に更新されている。なお、図２（ａ）、（ｂ）において、それぞれの値を示すＸ１、Ｘ２、Ｘ３、及びＹ１、Ｙ２は、Ｘ１＜Ｘ２＜Ｘ３、Ｙ１＜Ｙ２となっている。すなわち、当該アイコンのタッチ反応領域を暫定的に変更（大きく）することができる。但し、アイコンＩＤ「０００４」、「＊＊＊＊」のように、アプリケーション設計上、「タッチ反応領域」の値と「暫定タッチ反応領域」の値とが同じ場合もある。
【００２９】
次に、上述した第１実施形態の動作について説明する。
図３は、本第１実施形態による携帯端末装置１００の動作を説明するためのフローチャートである。また、図４、及び図５は、本第１実施形態による携帯端末装置１００の動作を説明するための概念図である。以下では、図４に示すように、ユーザが表示部１０３に表示されたアイコン「１」、「２」、「３」、「４」のうち、アイコン「３」をタッチする場合について説明する。該アイコン「３」を識別するアイコンＩＤは、図２（ａ）、（ｂ）に示すアイコンＩＤ「０００３」である。
【００３０】
携帯端末装置１００では、制御部１０１が、タッチパネル１０４にタッチ反応があったか否かを判別する（ステップＳ１０）。そして、タッチ反応がない場合には（ステップＳ１０のＮＯ）、ステップＳ１０を繰り返し実行する。
【００３１】
一方、タッチ反応があった場合には（ステップS１０のＹＥＳ）、タッチ反応がＮ回（例：ダブルタップ操作があるので、Ｎ＝３）以上あったか否かを判別する（ステップＳ１２）。そして、タッチ反応がＮ回以上あった場合には（ステップＳ１２のＹＥＳ）、一定時間内にバックキーなどで前画面に戻る操作があったか否かを判別する（ステップＳ１４）。そして、ユーザが前画面に戻る操作があった場合には（ステップＳ１４のＹＥＳ）、タッチ反応管理テーブル１０２ａの現タッチ反応領域である「タッチ反応領域」の値を、「暫定タッチ反応領域」の値に更新する（ステップＳ１６）。その後、ステップＳ１０に戻る。
【００３２】
図２（ａ）、（ｂ）に示すように、タッチ反応管理テーブル１０２ａのアイコンＩＤ「０００３」の「タッチ反応領域」の値（Ｘ１×Ｙ１）を、図２（ｂ）に示すタッチ反応管理テーブル１０２ａのように、「暫定タッチ反応領域」の値（Ｘ２×Ｙ２）に置き換える。Ｘ１＜Ｘ２、Ｙ１＜Ｙ２であるので、図５に示すように、「３」のアイコン箇所のタッチ反応領域Ｓ１が拡大する。
【００３３】
このように、特定のユーザ操作に応じて（この場合、Ｎ回以上のタップ操作を行なった後、バックキーなどで前画面に戻る操作があった場合）、アイコンサイズを変えずに、アイコンの周囲の反応領域を自動的に拡大させるので、画面デザインを変更することなく、ユーザの利便性を向上させることができる。なお、図５では、「３」のアイコン箇所のタッチ反応領域Ｓ１が拡大する様子を分かりやすくするために、タッチ反応領域Ｓ１を明示したが実際には不可視である。
【００３４】
一方、タッチ回数がＮ回以上なかった場合（ステップＳ１２のＮＯ）、あるいは、タッチ回数がＮ回以上あったものの、一定時間内に前画面に戻る操作がなかった場合には（ステップＳ１４のＮＯ）、アプリケーションに対する終了処理があったか否かを判別する（ステップＳ１８）。そして、アプリ終了処理があった場合には（ステップＳ１８のＹＥＳ）、タッチ反応管理テーブル１０２ａの「タッチ反応領域」を「タッチ反応領域（デフォルト）」に再更新することにより、タッチ反応領域Ｓ１を戻す処理を実施し（ステップＳ２０）、当該処理を終了する。一方、アプリ終了処理がなかった場合には（ステップＳ１８のＮＯ）、各操作処理へ進む。
【００３５】
上述した第１実施形態によれば、特定のユーザ操作に応じて（この場合、Ｎ回以上のタップ操作を行なった後、バックキーなどで前画面に戻る操作があった場合）、アイコンサイズを変えることなく、アイコンの周囲の反応領域を自動的に拡大させるので、アプリケーション作成者の意図した画面デザインを変更することなく、誤操作を防止し、ユーザの利便性を向上させることができる。
【００３６】
また、アプリケーション終了後も更新した「タッチ反応領域」を継続した場合、電車の中にて親指で操作と、椅子に座って人指し指で操作も同じ「タッチ反応領域」となり、使用シーンによっては、誤操作を招くことも有りうる。そのため、本第１実施形態では、アプリケーション終了後、タッチ反応領域のサイズをデフォルトに戻すことで、誤操作の発生を最小限に留めることができる。
【００３７】
Ｂ．第２実施形態
次に、本発明の第２実施形態について説明する。なお、携帯端末装置１００の構成は図１と同様であるので説明を省略する。
【００３８】
本第２実施形態では、タッチ反応領域の大きさだけでなく、タッチパネル部１０４のタッチ反応感度を変更（通常感度→高感度）可能とする。すなわち、図３に示すステップＳ１６において、タッチ反応管理テーブル１０２ａの現タッチ反応領域である「タッチ反応領域」を「暫定タッチ反応領域」に更新する処理を、タッチ反応感度（通常、高感度）を自動的に変更する処理とする。
【００３９】
図６は、本第２実施形態による携帯端末装置１００の動作を説明するためのフローチャートである。なお、図４と同様のステップＳ１０〜Ｓ１４、Ｓ１８、Ｓ２０については同様の処理であるので説明を省略する。ユーザがアイコン上でＮ回以上のタップ操作を行なった後、バックキーなどで前画面に戻る操作があった場合には（ステップＳ１４のＹＥＳ）、タッチ反応管理テーブル１０２ａの現タッチ反応領域である「タッチ反応領域」と「暫定タッチ反応領域」とが同じ値であるか否かを判別する（ステップＳ３０）。
【００４０】
そして、「タッチ反応領域」と「暫定タッチ反応領域」とが同じ値の場合には（ステップＳ３０のＹＥＳ）、「タッチ反応感度」を変更（通常→高感度）する（ステップＳ３２）。その後、図４に示すステップＳ１０に戻る。
【００４１】
一方、「タッチ反応領域」と「暫定タッチ反応領域」とが同じ値ではない場合には（ステップＳ３０のＮＯ）、上述した第１実施形態と同様に、タッチ反応管理テーブル１０２ａの「タッチ反応領域」の値を「暫定タッチ反応領域」の値に変更する（ステップＳ３４）。
【００４２】
上述した第２実施形態によれば、デザインレイアウト上、タッチ反応領域をアイコンサイズと同じにせざる得ない場合でも、特定のユーザ操作に応じて（この場合、Ｎ回以上のタップ操作を行なった後、バックキーなどで前画面に戻る操作があった場合）、アイコンサイズや画面デザインを変更することなく、誤操作を防止し、ユーザの利便性を向上させることができる。
【００４３】
なお、上述した第２実施形態において、アイコン毎にタッチ反応感度を設定する場合には、図２（ａ）に示すタッチ反応管理テーブル１０２ａにおいて、「アイコンＩＤ」、「アイコンサイズ」、「タッチ反応領域（デフォルト）」、現時点の「タッチ反応領域」、「暫定タッチ反応領域」に加えて、「タッチ反応感度」を設けるようにしてもよい。タッチ反応感度を変更する場合には、上記タッチ反応管理テーブル１０２ａの「タッチ反応感度」の値に基づいて変更すればよい。
【００４４】
なお、本発明の第１、第２実施形態では、携帯端末装置として携帯電話に適用した例であるが、本発明はこれに限定されるものではなく、タッチパネル操作を行う携帯型または据置型の端末機器、例えば、デジタルカメラ、携帯情報端末、パーソナルコンピュータ、通信機、その他の電子機器等にも幅広く適用できる。
【００４５】
以下、本発明の特徴を付記する。
上記の実施形態の一部又は全部は、以下の付記のようにも記載されうるが、以下には限られない。
（付記１）
図７は、付記１の構成図である。なお、図７において、タッチ反応制御部２０３は、図１に示す制御部に相当する。
この図に示すように、付記１記載の発明は、
表示部２００と、
前記表示部２００上に配設され、タッチ操作を検出するタッチパネル部２０１と、
前記タッチパネル部２０１への特定のタッチ操作が検出されると、前記特定のタッチ操作が行われたタッチ操作領域におけるタッチ反応領域サイズを拡大するタッチ反応制御部２０３と
を備えることを特徴とする携帯端末装置である。
【００４６】
（付記２）
少なくとも、現時点のタッチ反応領域サイズと、暫定タッチ反応領域サイズとからなるタッチ反応管理テーブルを記憶する記憶部を更に備え、前記タッチパネル部は、前記記憶部に記憶されている前記タッチ反応管理テーブルを参照し、前記タッチ操作領域におけるタッチ反応領域サイズを、前記現時点のタッチ反応領域サイズとし、前記タッチ反応制御部は、前記タッチパネル部への特定のタッチ操作が検出されると、前記記憶部に記憶されている前記タッチ反応管理テーブルを参照し、前記現時点のタッチ反応領域サイズを、前記暫定タッチ反応領域サイズに変更することを特徴とする付記１に記載の携帯端末装置である。
【００４７】
（付記３）
前記タッチ反応制御部は、前記タッチ操作領域におけるタッチ反応領域サイズを一時的に変更することを特徴とする付記１または２に記載の携帯端末装置である。
【００４８】
（付記４）
前記タッチ反応制御部は、前記特定のタッチ操作として、前記タッチパネル部へのタッチ回数がＮ回以上で、かつ一定時間内に前画面に戻る操作が行われた場合に、前記タッチ操作領域におけるタッチ反応領域サイズを拡大することを特徴とする付記１から３のいずれかに記載の携帯端末装置である。
【００４９】
（付記５）
前記タッチ反応制御部は、前記タッチ反応領域サイズの変更に代えて、前記タッチ操作領域におけるタッチ反応感度を高感度にすることを特徴とする付記１から４のいずれかに記載の携帯端末装置である。
【００５０】
（付記６）
前記タッチ反応制御部は、前記タッチパネル部への特定のタッチ操作が検出されると、前記記憶部に記憶されている前記タッチ反応管理テーブルを参照し、前記現時点のタッチ反応領域のサイズと、前記暫定タッチ反応領域のサイズとを比較し、双方のサイズが同じである場合、前記タッチ反応領域サイズの変更に代えて、前記タッチ操作領域におけるタッチ反応感度を高感度にすることを特徴とする付記５に記載の携帯端末装置である。
【００５１】
（付記７）
表示部上に配設されたタッチパネル部に対して特定のタッチ操作を検出するステップと、前記タッチパネル部に対して前記特定のタッチ操作が検出されると、前記特定のタッチ操作が行われたタッチ操作領域におけるタッチ反応領域のサイズを拡大するステップとを含むことを特徴とするタッチ操作制御方法である。
【００５２】
（付記８）
携帯端末装置のコンピュータに、表示部上に配設されたタッチパネル部に対して特定のタッチ操作を検出するタッチ操作検出機能、前記タッチパネル部に対して前記特定のタッチ操作が検出されると、前記特定のタッチ操作が行われたタッチ操作領域におけるタッチ反応領域のサイズを拡大するタッチ反応制御機能を実行させることを特徴とするプログラムである。
【符号の説明】
【００５３】
１００  携帯端末装置
１０１  制御部
１０２  メモリ
１０２ａ  タッチ反応管理テーブル
１０３、２００  表示部
１０４、２０１  タッチパネル部
１０５  音源部
１０６  スピーカ部
１０７  マイク部
１０８  カメラ部
１０９  センサ部
１１０  非接触ＩＣ部
１１１  無線部
２０３  タッチ反応制御部
【図１】
2013182463.tif 000003
【図２】
2013182463.tif 000004
【図３】
2013182463.tif 000005
【図４】
2013182463.tif 000006
【図５】
2013182463.tif 000007
【図６】
2013182463.tif 000008
【図７】
2013182463.tif 000009